(57)【要約】【課題】  印刷用紙または原稿用紙の幅方向（用紙送り方向と直交する方向）の長さが定型サイズに対し誤差（相違）を有する場合で、印刷用紙の裏面に１８０度回転させ画像形成する場合に、用紙送り方向と直交する幅方向の位置ずれを生じさせない画像形成装置を提供する。【解決手段】  印刷用紙の表裏両面に画像を形成する機能を備える画像形成装置（１）において、用紙送り方向と直交する方向である幅方向の印刷用紙の実長を検出可能な用紙カセットと、印刷用紙の定型サイズを記憶する記憶手段（２０）と、印刷用紙の裏面に表面の画像と向きをそろえるため１８０度回転させた画像を形成する際、画像形成に用いる印刷用紙の定型サイズの幅と該印刷用紙の幅方向の実長の差の分だけ幅方向の位置を補正した画像を形成させる制御をする制御手段（１０）とを備える。【選択図】        図１
2005193381.tif 000002
【特許請求の範囲】
【請求項１】
印刷用紙の表裏両面に画像を形成する機能を備える画像形成装置において、
用紙送り方向と直交する方向である幅方向の印刷用紙の実長を検出可能な給紙カセットと、
前記印刷用紙の定型サイズを記憶する記憶手段と、
印刷用紙の裏面に表面の画像と向きをそろえるため１８０度回転させた画像を形成する際、画像形成に用いる印刷用紙の定型サイズの幅と該印刷用紙の幅方向の実長の差の分だけ幅方向の位置を補正した画像を形成させる制御をする制御手段と、を具備する
ことを特徴とする画像形成装置。
【請求項２】
印刷用紙の表裏両面に画像を形成する機能を備える画像形成装置において、
用紙送り方向と直交する方向である幅方向の原稿用紙の実長を検出可能な原稿読取手段と、
定型の用紙サイズを記憶する記憶手段と、
印刷用紙の裏面に表面の画像と向きをそろえるため１８０度回転させた画像を形成する際、前記原稿用紙の定型サイズの幅と該印刷用紙の幅方向の実長の差の分だけ幅方向の位置を補正した画像を形成させる制御をする制御手段と、を具備する
ことを特徴とする画像読み取り装置。
【請求項３】
前記制御手段は、
画像形成のため、画像形成させる画像のデータを記憶した記憶手段から、画像形成のため該データを読み出す際、前記差の分だけ、データの読み出し位置をずらして読み出すことにより補正を行う
ことを特徴とする請求項１または請求項２に記載の画像形成装置。
【発明の詳細な説明】
【技術分野】
【０００１】
本発明は、複写機、ファクシミリ装置、これらの複合機等の画像形成装置に関する。
【背景技術】
【０００２】
従来、印刷用紙の両面に画像形成可能な画像形成装置には、印刷用紙の裏面に形成する画像を１８０度回転させて、印刷用紙の表面（おもて面）に形成する画像と裏面に形成する画像との向きを合わせるようにできるものがあるが、このような画像形成装置においては、印刷用紙の表面と裏面とで用紙送り方向と形成する画像の方向が異なるために、用紙の長さ（用紙送り方向の用紙の長さ）または用紙送り速度に誤差やバラツキ等があった場合、印刷用紙の表面と裏面の画像の位置が、上下にずれが生じるという問題点があった。特許文献１では、こうした問題を解決するための技術が提案されている。
【特許文献１】特開平１１−２４５２５号公報
【発明の開示】
【発明が解決しようとする課題】
【０００３】
しかし、特許文献１に記載の技術では、上記のような用紙の長さ（用紙送り方向の用紙の長さ）または用紙送り速度の誤差やバラツキ等によるずれを解消することができるが、印刷用紙または原稿用紙の実際の幅（上記用紙送り方向と直交する方向の長さ）が定型サイズと異なる場合など、幅方向の用紙の長さに誤差（定型サイズとの相違）があった場合に、印刷用紙の幅方向の端から画像を形成すると、例えば、両面コピーで裏面に、上記のように１８０度回転させた画像を印刷用紙の幅方向の端から形成する際には、この方向に位置ずれが生じてしまう問題があった。
【０００４】
同様に、原稿用紙の幅方向の長さに誤差があった場合、読み取った画像を定型サイズの画像としてイメージメモリに格納し、この画像を１８０度回転させ（このとき、イメージメモリからは回転させない場合の逆順に画像データが読み出される）、印刷用紙に画像形成させると、幅方向に位置ずれが生じてしまう問題があった。
【０００５】
ここで、印刷用紙に誤差がある場合を、具体的に例示する。図３（ａ）に示す例では、裏面の画像を形成する際に１８０度回転させない場合、印刷用紙に対する画像“ｉｉ”の位置は、実際の用紙が、理想の定型サイズ（イメージメモリ上の画像サイズ）より小さいため、左側が広く右側が狭くなっている。これを補正せず１８０度回転させた場合、イメージメモリから定型サイズの画像データが、１８０度回転させない場合の逆順に読み出され画像形成されるので、図３（ｂ）に例示するように画像形成され、これを“ｉｉ”を読める向き（上下逆）にして見ると、１８０度回転しない場合と逆に左側が狭く、右側が広くなる。
【０００６】
このように、印刷用紙に形成する画像を１８０度回転させる処理を行う場合は、上記誤差があると、回転させない場合に対し幅方向に位置ずれが発生する。これを図３（ｃ）に例示するように補正できることが望まれた。図３（ｃ）の例では、補正無しの場合と異なり、“ｉｉ”を読める向き（上下逆）にして見ると、回転させない場合と同様に印刷用紙に対する画像“ｉｉ”の位置は、左側が広く右側が狭くなっている。
【０００７】
本発明は、上記の点に鑑みてなされたもので、印刷用紙または原稿用紙の幅方向（用紙送り方向と直交する方向）の長さが定型サイズに対し誤差（相違）を有する場合で、印刷用紙の裏面に１８０度回転させ画像形成する場合に、用紙送り方向と直交する幅方向の位置ずれを生じさせない画像形成装置を提供するものである。
【課題を解決するための手段】
【０００８】
上記課題を解決するため、請求項１に記載の発明は、印刷用紙の表裏両面に画像を形成する機能を備える画像形成装置において、用紙送り方向と直交する方向である幅方向の印刷用紙の実長を検出可能な給紙カセットと、前記印刷用紙の定型サイズを記憶する記憶手段と、印刷用紙の裏面に表面の画像と向きをそろえるため１８０度回転させた画像を形成する際、画像形成に用いる印刷用紙の定型サイズの幅と該印刷用紙の幅方向の実長の差の分だけ幅方向の位置を補正した画像を形成させる制御をする制御手段と、を具備することを特徴としている。
【０００９】
また、請求項２に記載の発明は、印刷用紙の表裏両面に画像を形成する機能を備える画像形成装置において、用紙送り方向と直交する方向である幅方向の原稿用紙の実長を検出可能な原稿読取手段と、定型の用紙サイズを記憶する記憶手段と、印刷用紙の裏面に表面の画像と向きをそろえるため１８０度回転させた画像を形成する際、前記原稿用紙の定型サイズの幅と該印刷用紙の幅方向の実長の差の分だけ幅方向の位置を補正した画像を形成させる制御をする制御手段と、を具備することを特徴としている。
【００１０】
また、請求項３に記載の発明は、請求項１または請求項２に記載の画像形成装置において、前記制御手段は、画像形成のため、画像形成させる画像のデータを記憶した記憶手段から、画像形成のため該データを読み出す際、前記差の分だけ、データの読み出し位置をずらして読み出すことにより補正を行うことを特徴としている。
【発明の効果】
【００１１】
本発明によれば、画像形成装置において、印刷用紙または原稿用紙の幅方向の長さが定型サイズに対し誤差を有する場合に、両面印刷の際、印刷用紙の表面の画像と向きをそろえるため１８０度回転させた画像を裏面に形成させる際の幅方向の位置ずれを防ぐことができる。
【発明を実施するための最良の形態】
【００１２】
以下、本発明の実施の形態を、図面を参照して説明する。
図１は、本発明の一実施の形態である画像形成装置の構成を示すブロック図である。
本実施の形態の画像形成装置１は、従来の画像形成装置と基本的な構成は同様であり、制御部１０、記憶部２０、スキャナ部３０、画像形成部４０、操作部５０、表示部６０、報知部７０とから概略構成されている。
【００１３】
制御部１０は、画像形成装置１の各部を制御する。この制御には、両面印刷・両面コピーの際に、印刷用紙の裏面に形成する画像の向きを１８０度回転させ表面の画像の向きとそろえて画像形成部４０に印刷させる制御や、後述する補正処理等が含まれる。
【００１４】
記憶部２０は、上記制御部１０が実行する制御プログラムや、各種データを記憶する。なお、この記憶部２０には、スキャナ部３０が読み取った画像データを格納する領域（これをイメージメモリと称す）が設定されている。
スキャナ部３０は、原稿台にセットされた原稿を読み取る部分であり、複数枚の原稿を原稿台に順次搬送する自動原稿送り装置（図示せず）が装備されている。このスキャナ部３０は、原稿用紙の幅方向（主走査方向）の長さ（実長）、用紙送り方向（副走査方向）の長さ（実長）を検出する機能をもつ。この機能は、例えば、特開２００３−１３４３０９号公報に記載の技術により実現できる。
【００１５】
画像形成部４０は、印刷用紙であるシート材の給紙を行う給紙部、トナー像のシート材への転写処理を行う転写部，シート材に転写されたトナー像の定着処理を行う定着部，及び定着後のシート材の排紙を行う排紙部（いずれも図示せず）を備え、画像形成処理に係る一連の処理を行う。例えば、コピーの際には、上記スキャナ部３０が、原稿台にセットされた原稿を読み取り、その画像データを画像形成部４０に供給し、画像形成部４０がこの画像データに従って画像形成処理を行う。また、この画像形成部４０は、両面印刷の機能を有する。なお、給紙部は、印刷用紙を蓄える給紙カセットを有し、この給紙カセットには、蓄えられた印刷用紙の幅方向、用紙送り方向の実長を検出するためのセンサーが設けられている。
【００１６】
操作部５０は、画像形成装置１に対してユーザーにより動作の命令及び設定の入力等が行われるための各種キーやタッチパネル等を備えている。
表示部６０は、画像形成装置１における処理状況や操作部５０より入力された設定情報等の表示を行う表示手段であり、その表面には、上記操作部５０を構成するタッチパネルが設けられている。
報知部７０は、異常通知等のための報知音（ブザー音、メロディ等）を放音する。
【００１７】
なお、制御部１０は、メモリおよびＣＰＵ（中央処理装置）等により構成され、この制御部１０が有する各機能を実現するためのプログラム（図示せず）をメモリにロードして実行することによりその機能を実現するものとする。
記憶部２０は、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ハードディスク等の不揮発性の記録装置により構成され、表示部６０は、ＣＲＴ（Ｃａｔｈｏｄｅ Ｒａｙ Ｔｕｂｅ）や液晶表示装置等により構成されている。
【００１８】
次に、このように構成された本実施形態の画像形成装置１の、印刷用紙の裏面に１８０度回転させた画像を形成する際の補正の処理について、図２を参照し説明する。
【００１９】
ここでは、画像形成として両面コピーを行う場合で、スキャナ部３０が読み取った画像のデータは、イメージメモリの所定位置に格納するものとする。読み取られた原稿の画像データは、そのライン毎にイメージメモリのアドレスの若い順に格納するものとする。１８０度回転させて画像形成する場合は、イメージメモリの末尾のアドレスから、画像データを逆順に読み出す。なお、印刷用紙の表面（おもて面）には、通常通りに印刷がなされる。
【００２０】
はじめに、給紙カセットにセットされた印刷用紙の幅、長さの実長を検出する（ステップＳ１０１）。この検出は、給紙カセットが行い、正確な印刷用紙の幅、長さの実長（用紙サイズ）の情報を制御部１０に送る。
次に、制御部１０は、印刷用紙に印刷する画像を１８０度回転させる設定がなされているか否か判断する（ステップＳ１０２）。
【００２１】
ここで、印刷用紙に印刷する画像を１８０度回転させる設定がなされていない場合、ステップＳ１０２にてＮｏと判定され、ステップＳ１０５に移行する。
ステップＳ１０５では、通常通りの処理（通常処理）が行われる。具体的には、イメージメモリに格納された画像データを所定のアドレスから順次読み出し、この画像データに従って印刷用紙に印刷をする。
【００２２】
一方、ステップＳ１０２にてＹｅｓと判定されると、すなわち、印刷用紙に印刷する画像を１８０度回転させる設定がなされていると、さらに、印刷用紙の幅の実長（用紙サイズ（幅））が、当該印刷用紙の定型サイズ（幅）に一致しているか判断する（ステップＳ１０３）。
ここで、用紙サイズ（幅）が、当該印刷用紙の定型サイズ（幅）に一致している場合は、ステップＳ１０３にてＹｅｓと判定され、ステップＳ１０５に移行する。
ステップＳ１０５では、前述のようにして通常処理がなされる。
【００２３】
一方、ステップＳ１０３にてＮｏと判定されると、さらに、用紙サイズ（幅）が、当該印刷用紙の定型サイズ（幅）より小さいか否か判断する（ステップＳ１０４）。
ここで、用紙サイズ（幅）が、当該印刷用紙の定型サイズ（幅）より小さい場合、ステップＳ１０４にてＹｅｓと判定され、ステップＳ１０６に移行する。
ステップＳ１０６では、通常処理にてイメージメモリから画像データを読み出すアドレスから、定型サイズ（幅）と用紙サイズ（幅）の差に相当する分を引いたアドレスから画像データを読み出し、印刷用紙に印刷をする。
【００２４】
一方、ステップＳ１０４にてＮｏと判定されると、すなわち用紙サイズ（幅）が、当該印刷用紙の定型サイズ（幅）より大きい場合、ステップＳ１０７に移行する。
ステップＳ１０７では、通常処理にてイメージメモリから画像データを読み出すアドレスから、用紙サイズ（幅）と定型サイズ（幅）の差に相当する分を加えたアドレスから画像データを読み出し、印刷用紙に印刷をする。
【００２５】
なお、ステップＳ１０６で、通常処理にてイメージメモリから画像データを読み出すアドレスから、定型サイズ（幅）と用紙サイズ（幅）の差に相当する分を引いたアドレス、あるいは、ステップＳ１０７で、通常処理にてイメージメモリから画像データを読み出すアドレスから、用紙サイズ（幅）と定型サイズ（幅）の差に相当する分を加えたアドレスが、イメージメモリの領域外（画像データがない部分）である場合は、印刷を行わない。
【００２６】
以上は、印刷カセットに格納された印刷用紙の実長（用紙サイズ）を検出して、印刷用紙の裏面に１８０度回転させた画像を形成する際補正を行う場合の例であるが、原稿用紙の実長を検出して、印刷用紙の裏面に１８０度回転させた画像を形成する際補正を行う場合も同じフローとなる。具体的には、以下の通りである。
【００２７】
はじめに、スキャナ部３０にセットされた原稿用紙の幅、長さの実長を検出する（ステップＳ１０１）。この検出は、スキャナ部３０が行い、正確な原稿用紙の幅、長さの実長（用紙サイズ）の情報を制御部１０に送る。
次に、制御部１０は、印刷用紙に印刷する画像を１８０度回転させる設定がなされているか否か判断する（ステップＳ１０２）。
【００２８】
ここで、印刷用紙に印刷する画像を１８０度回転させる設定がなされていない場合、ステップＳ１０２にてＮｏと判定され、ステップＳ１０５に移行する。
ステップＳ１０５では、通常通りの処理（通常処理）が行われる。具体的には、イメージメモリに格納された画像データを所定のアドレスから順次読み出し、この画像データに従って印刷用紙に印刷をする。
【００２９】
一方、ステップＳ１０２にてＹｅｓと判定されると、すなわち、印刷用紙に印刷する画像を１８０度回転させる設定がなされていると、さらに、原稿用紙の幅の実長（用紙サイズ（幅））が、当該原稿用紙の定型サイズ（幅）に一致しているか判断する（ステップＳ１０３）。
ここで、用紙サイズ（幅）が、当該原稿用紙の定型サイズ（幅）に一致している場合は、ステップＳ１０３にてＹｅｓと判定され、ステップＳ１０５に移行する。
ステップＳ１０５では、前述のようにして通常処理がなされる。
【００３０】
一方、ステップＳ１０３にてＮｏと判定されると、さらに、用紙サイズ（幅）が、当該原稿用紙の定型サイズ（幅）より小さいか否か判断する（ステップＳ１０４）。
ここで、用紙サイズ（幅）が、当該原稿用紙の定型サイズ（幅）より小さい場合、ステップＳ１０４にてＹｅｓと判定され、ステップＳ１０６に移行する。
ステップＳ１０６では、通常処理にてイメージメモリから画像データを読み出すアドレスから、定型サイズ（幅）と用紙サイズ（幅）の差に相当する分を引いたアドレスから画像データを読み出し、印刷用紙に印刷をする。
【００３１】
一方、ステップＳ１０４にてＮｏと判定されると、すなわち用紙サイズ（幅）が、当該原稿用紙の定型サイズ（幅）より大きい場合、ステップＳ１０７に移行する。
ステップＳ１０７では、通常処理にてイメージメモリから画像データを読み出すアドレスから、用紙サイズ（幅）と定型サイズ（幅）の差に相当する分を加えたアドレスから画像データを読み出し、印刷用紙に印刷をする。
なお、上記で説明した各処理フローは一例であり、上記の処理の流れに限定されるものではない。
【００３２】
以上、この発明の実施形態を、図面を参照して詳述してきたが、具体的な構成はこの実施形態に限られるものではなく、この発明の要旨を逸脱しない範囲の構成等も含まれる。例えば、印刷用紙の誤差の補正と原稿用紙の誤差の補正を同時に行ってもよい。
【図面の簡単な説明】
【００３３】
【図１】本発明の一実施の形態である画像形成装置の概略構成を示すブロック図である。
【図２】同実施の形態における補正処理の処理フローである。
【図３】印刷用紙または原稿用紙に誤差がある場合に、印刷用紙の裏面に１８０度回転させた画像を形成させる場合に生じる問題点を説明する図である。
【符号の説明】
【００３４】
１…画像形成装置
１０…制御部（制御手段）
２０…記憶部（記憶手段）
３０…スキャナ部（原稿読取手段）
４０…画像形成部
５０…操作部
６０…表示部
７０…報知部
【図１】
2005193381.tif 000003
【図２】
2005193381.tif 000004
【図３】
2005193381.tif 000005